(57)【要約】【課題】  コンクリート壁にウレタンを吹き付けた後でも所望の位置に電気配線を敷設することができ、壁がウレタンやスチロールなどのように柔らかな壁材であっても簡単に抜けてしまうことのない配線固定具を提供することである。【解決手段】  配線２を挟み込む腹部と、腹部の両脇に設けられ、配線２を固定する対象の柔らかな壁材１１に先端部を突き刺す針部とから構成され、腹部の両脇からまっすぐに延びた針部が所定位置で屈曲してなり、柔らかな壁材１１に針部の先端部を突き刺し、腹部と柔らかな壁材１１との間に配線２を挟みこむことによって、配線２を柔らかな壁材１１に固定する。【選択図】  図１
2007053833.tif 000002
【特許請求の範囲】
【請求項１】
配線を挟み込む腹部と、前記腹部の両脇に設けられ、前記配線を固定する対象の柔らかな壁材に先端部を突き刺す針部とから構成され、
前記腹部の両脇からまっすぐに延びた前記針部が所定位置で屈曲してなり、
前記柔らかな壁材に前記針部の前記先端部を突き刺し、前記腹部と前記柔らかな壁材との間に前記配線を挟みこむことによって、前記配線を前記柔らかな壁材に固定する
ことを特徴とする配線固定具。
【請求項２】
前記屈曲の内側の角度がほぼ１００度であることを特徴とする請求項１に記載の配線固定具。
【請求項３】
前記針部の、前記屈曲の内側部分に溝が設けられていることを特徴とする請求項１に記載の配線固定具。
【請求項４】
前記針部の前記先端部は、前記屈曲の外側がカットされて鋭角にされていることを特徴とする請求項１に記載の配線固定具。
【請求項５】
前記針部の前記腹部は、電気的絶縁部材で覆われていることを特徴とする請求項１に記載の配線固定具。
【発明の詳細な説明】
【技術分野】
【０００１】
本発明は配線固定具に関し、特に、ウレタンやスチロール等に突き刺して配線を固定する配線固定具に関する。
【背景技術】
【０００２】
ビルなどの建物の建築の際には建物内に電気配線を敷設する必要があるが、配線が人目につかないように内装ボードの内側に敷設するのが通常である。すなわち、コンクリートで建物の壁を形成し、コンクリート壁の室内側には断熱や結露防止用のウレタンを吹き付け、そのウレタンに電気配線を固定し、その後に内装ボードを設置する。
【０００３】
このように電気配線を敷設するためにはコンクリート壁に吹き付けたウレタンに電気配線を固定する必要があり、この固定のために配線固定具が用いられる。
【０００４】
従来の配線固定具としては小さな板に紐を通した形状のものが知られており、この従来の配線固定具の使い方は、ウレタンを吹き付ける前のコンクリート壁に配線固定具の板部分を接着し、その後、配線固定具の紐部分の両端がウレタンを貫通するように紐部分を伸ばした状態でウレタンの吹き付けを行い、ウレタンから突出した紐部分の両端で電気配線を結んで固定する。
【０００５】
また、ウレタンの上から電気配線を固定するためには、コの字の形状のステープルによって固定することも考えられる。
【０００６】
さらに、特許文献１では、電気配線取り付け金具によって固定した配線を後から容易に取り外すことができるようにした、特殊な形状の電気配線取り付け金具について開示している。
【０００７】
【特許文献１】特開２００３−３３９８２６号公報
【発明の開示】
【発明が解決しようとする課題】
【０００８】
ところが、上述の小さな板に紐を通した形状の配線固定具の場合には以下のような問題点があった。
【０００９】
すなわち、この従来の配線固定具では、コンクリート壁にウレタンを吹き付ける前に板部分をコンクリート壁に接着しておく必要があり、このため、ウレタン吹き付け後に電気配線の敷設位置を変更したいような場合には対応できないという問題があった。
【００１０】
また、この従来の配線固定具は比較的値段が高く、電気配線の敷設の可能性が少しでもある場所すべてに予め接着しておき、ウレタン吹き付け後に使用しないものを多数生じさせてしまうような使い方は無駄で、コスト高の原因となってしまう。
【００１１】
別の従来技術であるコの字の形状のステープルの場合、コの字の腹の部分に電気配線を挟んでコの字の両端を壁に突き刺して固定するものであるが、壁がウレタンやスチロールなどのように柔らかな壁材の場合、ステープルが簡単に抜けてしまい、使い物にならないという問題があった。
【００１２】
また、特許文献１に記載の電気配線取り付け金具にしても、コの字の形状のステープルと同様に、先端をまっすぐ壁に突き刺して固定するものであるため、壁がウレタンやスチロールなどのように柔らかな壁材の場合にはやはり簡単に抜けてしまい、使い物にならないという問題があった。
【００１３】
本発明は上記の点にかんがみてなされたもので、コンクリート壁にウレタンを吹き付けた後でも所望の位置に電気配線を敷設することができ、壁がウレタンやスチロールなどのように柔らかな壁材であっても簡単に抜けてしまうことのない配線固定具を提供することを目的とする。
【課題を解決するための手段】
【００１４】
本発明の配線固定具は上記課題を解決するため、配線を挟み込む腹部と、前記腹部の両脇に設けられ、前記配線を固定する対象の柔らかな壁材に先端部を突き刺す針部とから構成され、前記腹部の両脇からまっすぐに延びた前記針部が所定位置で屈曲してなり、前記柔らかな壁材に前記針部の前記先端部を突き刺し、前記腹部と前記柔らかな壁材との間に前記配線を挟みこむことによって、前記配線を前記柔らかな壁材に固定することを特徴とする。
【００１５】
また本発明は、前記屈曲の内側の角度がほぼ１００度であることを特徴とする。
【００１６】
また本発明は、前記針部の、前記屈曲の内側部分に溝が設けられていることを特徴とする。
【００１７】
また本発明は、前記針部の前記先端部は、前記屈曲の外側がカットされて鋭角にされていることを特徴とする。
【００１８】
また本発明は、前記針部の前記腹部は、電気的絶縁部材で覆われていることを特徴とする。
【発明の効果】
【００１９】
本発明によれば、コンクリート壁にウレタンを吹き付けた後でも所望の位置に電気配線を敷設することができ、壁がウレタンやスチロールなどのように柔らかいものであっても簡単に抜けてしまうことのない配線固定具を提供することができる。
【００２０】
すなわち本発明による配線固定具は、コンクリート壁にウレタンを吹き付けた後に取り付けることができるので、ウレタンを吹き付けた後でも所望の位置に電気配線を敷設することができる。
【００２１】
また本発明によれば、屈曲させた針部の先端部がひっかかって、配線固定具が柔らかな壁材から抜けてしまうのを防止することができる。
【００２２】
また本発明によれば、前記屈曲の内側の角度をほぼ１００度としたので、配線固定具が柔らかな壁材から抜けにくく、且つ配線を固定する際には配線固定具を柔らかな壁材に挿入しやすくすることができる。
【００２３】
また本発明によれば、針部の内側に溝を設け、また針部の先端部の外側をカットして鋭角にしたので、針部がウレタンを通り越してコンクリート壁に突き当たったときにもスムーズに挿入することができる。
【００２４】
また本発明によれば、電気配線を挟みこむ腹部を電気的絶縁物で覆うようにしたので、電気配線の絶縁をより確実に確保することができる。
【００２５】
また本発明によれば、ウレタンに電気配線を固定する際に、配線固定具を手で突き刺すことができ、たとえばかなづちやそのほかの工具を必要とせず、配線工事を素早く行うことができる。
【００２６】
また本発明によれば、従来必要であった、ウレタンをコンクリート壁に吹き付ける前に配線固定具の板部分をコンクリート壁に接着するような、ウレタン吹き付け前の工事が不要であり、配線工事を素早く行うことができる。
【００２７】
また本発明によれば、配線固定具を簡単な構造で実現することができ、コストを低減することができる。
【発明を実施するための最良の形態】
【００２８】
以下、本発明の実施の形態について図面を参照して詳細に説明する。
【００２９】
図１は、本発明の一実施の形態による配線固定具を用いて電気配線を固定した状態を示す断面図である。
【００３０】
なお、図１では、左側が室外側であり、右側が室内側である。
【００３１】
また、以下の各図では、図の簡単のため、配線固定具１のウレタン１１への挿入後のウレタン１１の変形を省略してあるが、実際には、ウレタン１１は、配線固定具１の挿入角度等に応じた変形をするものである。
【００３２】
図１に示すように、本実施の形態の配線固定具１は、コンクリート壁１０に吹き付けられたウレタン１１に先端が突き刺され、腹の部分で電気配線２を挟んで固定するよう構成されている。配線固定具１による電気配線２の固定、電気配線２の敷設がされたならば、室内側で、電気配線２を隠すように内装ボード１２が設置される。
【００３３】
図２は、図１に示した配線固定具１を示す図であり、（ａ）は配線固定具１の斜視図であり、（ｂ）は配線固定具１の側面図である。
【００３４】
図２（ａ）および図２（ｂ）に示すように、配線固定具１は、電気配線２を挟み込む腹部３と、腹部３の両脇に設けられウレタン１１に突き刺す針部４とから構成される。
【００３５】
針部４は、コの字の形状のステープルの両端を長くして、腹部３に対して屈曲させて形成される。この屈曲の角度は、直角よりもやや鈍角のたとえば１００度程度であることが望ましい。
【００３６】
また、図２（ａ）および図２（ｂ）に示すように、針部４には、腹部３に対して屈曲させた内側に溝４ｂが設けられている。このような溝４ｂが設けられていることによって、針部４が、溝４ｂの設けられている側にたわみやすくされている。これによって、針部４をウレタン１１に突き刺して先端部４ｂがコンクリート壁１０に突き当たったときに針部４がたわみ、針部４がスムーズに挿入しやすくされている。
【００３７】
さらに、図２（ａ）および図２（ｂ）に示すように、針部４の先端部４ｂは、腹部３に対して屈曲させた外側がカットされ鋭角になるようにしている。これによって、針部４をウレタン１１に突き刺して先端部４ｂがコンクリート壁１０に突き当たったときに、先端部４ｂが抵抗とならず、針部４がスムーズに挿入しやすくされている。
【００３８】
針部４としては、プラスチック、樹脂、銅線、鉄線などを用いることができる。
【００３９】
また、図２（ａ）および図２（ｂ）に示すように、配線固定具１の腹部３には絶縁カバーが設けられ、電気配線２の電気的な絶縁が確保されている。
【００４０】
図３は、配線固定具１によってウレタン１１に電気配線２を固定する様子を示す図であり、（ａ）は、ウレタン１１に針部４を突き刺した状態を示す断面図であり、（ｂ）は、配線固定具１による電気配線２の固定が完了した状態を示す断面図である。
【００４１】
配線固定具１によってウレタン１１に電気配線２を固定する場合、図３（ａ）に示すように、配線固定具１の腹部３に電気配線２を挟み込んだ状態で、針部４の先端部４ｂを下向きの所定の角度でウレタン１１に突き刺す。
【００４２】
その後、図３（ａ）に示す矢印のように配線固定具１をウレタン１１に押し込むと、針部４の先端部４ｂはその鋭角な先端がコンクリート壁１０に沿って下方へ進み、また、溝４４が設けられていることによって必要に応じてたわんで、針部４の挿入がスムーズにされ、図３（ｂ）に示すように、電気配線２は配線固定具１の腹部３とウレタン１１との間に挟み込まれ、ウレタン１１に固定される。
【００４３】
このように本発明によれば、ウレタン１１に電気配線２を固定する際に、配線固定具１を手で突き刺すことができ、たとえばかなづちやそのほかの工具を必要とせず、配線工事を素早く行うことができる。
【００４４】
また本発明によれば、従来必要であった、ウレタン１１をコンクリート壁１０に吹き付ける前に従来の配線固定具の板部分をコンクリート壁１０に接着するような、ウレタン吹き付け前の工事が不要であり、配線工事を素早く行うことができる。
【００４５】
また本発明によれば、配線固定具１を簡単な構造で実現することができ、コストを低減することができる。
【００４６】
なお、図１に示した例では、配線固定具１の針部４の先端部４ｂがコンクリート壁４ｂに突き当たるものとしたが、本発明はこれに限られるものではなく、たとえばウレタンが厚い場合など、必ずしも先端部４ｂがコンクリート壁４ｂに突き当たる必要はない。この状態を図４に示す。
【００４７】
また、図１に示した例では、配線固定具１の腹部３によって電気配線２を挟み込むようにしたが、本発明はこれに限られるものではなく、図５に示すように、配線固定具１の腹部３によってバインド線５を固定し、このバインド線５で電気配線６を結びつけるようにして固定してもよい。このようにすることによって、電気配線が太い場合にも対応することができる。この場合は、バインド線が配線の一種であるとし、腹部３によってバインド線を挟み込んで固定するとも考えられる。
【００４８】
なお、上述の説明では、ウレタンの壁に対して電気配線を固定する場合について説明したが、配線固定具１は、ウレタン以外にもスチロールなどの柔らかな壁材に対して固定する場合にも用いることができるし、バインド線のように電気配線以外の線を固定するのにも用いることができる。
【００４９】
また、配線固定具１は、直立するウレタン壁面に対して電気配線を固定するのに用いるだけではなく、たとえば天井に張られたウレタンやスチロールなどの柔らかな部分に電気配線を固定するのに用いることもできる。
【図面の簡単な説明】
【００５０】
【図１】本発明の一実施の形態による配線固定具を用いて電気配線を固定した状態を示す断面図である。
【図２】図１に示した配線固定具１を示す図であり、（ａ）は配線固定具１の斜視図であり、（ｂ）は配線固定具１の側面図である。
【図３】配線固定具１によってウレタン１１に電気配線２を固定する様子を示す図であり、（ａ）は、ウレタン１１に針部４を突き刺した状態を示す断面図であり、（ｂ）は、配線固定具１による電気配線２の固定が完了した状態を示す断面図である。
【図４】配線固定具１を用いて電気配線を固定した状態を示す断面図であり、図１とは別の状態を示す図である。
【図５】配線固定具１を用いて電気配線を固定した状態を示す断面図であり、バインド線５を用いて固定する例を示す図である。
【符号の説明】
【００５１】
１  配線固定具
２  電気配線
３  腹部
４  針部
４ａ  溝
４ｂ  先端部
５  バインド線
１０  コンクリート壁
１１  ウレタン
１２  内装ボード
【図１】
2007053833.tif 000003
【図２】
2007053833.tif 000004
【図３】
2007053833.tif 000005
【図４】
2007053833.tif 000006
【図５】
2007053833.tif 000007